【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
搬送路に沿って処理対象物を搬送する搬送手段と、
前記搬送路に設けられ、前記搬送手段により搬送される前記処理対象物を処理する第１処理手段と、
前記処理対象物が搬送される搬送路の前記第１処理手段の下流に設けられた第２処理手段と、
前記第１処理手段の処理結果に基づいて決定された動作内容に従って、前記第２処理手段によって前記処理対象物を処理させる処理制御手段と、
前記第２処理手段の処理が開始される前に、前記処理対象物が前記第２処理手段に達している場合、第１処理手段の処理結果に基づいて動作内容が決定された後に、前記第２処理手段の処理位置または処理位置の前まで前記処理対象物を前記搬送手段によって上流に搬送させる搬送制御手段と、
を備えることを特徴とする媒体処理装置。
【請求項２】
前記第２処理手段は、前記第１処理手段が前記処理対象物の処理を終えた時点で前記処理対象物が前記第２処理手段の処理位置より下流に達する位置に設けられたことを特徴とする請求項１記載の媒体処理装置。
【請求項３】
前記第１処理手段の処理結果に基づいて、処理後の動作内容を決定する動作決定手段を備えることを特徴とする請求項１または２に記載の媒体処理装置。
【請求項４】
前記処理対象物が排出される複数の排出部を備え、
前記第２処理手段は、前記処理対象物の搬送経路に繋がる前記排出部を切り替える切替部として構成され、
前記処理制御手段は、前記第１処理手段の処理結果に基づいて決定される前記複数の排出部のいずれかに前記読取対象物を排出させるように前記切替部を動作させることを特徴とする請求項１から３のいずれかに記載の媒体処理装置。
【請求項５】
前記第１処理手段は、前記処理対象物に画像を記録する記録手段であることを特徴とする請求項１から４のいずれかに記載の媒体処理装置。
【請求項６】
前記第１処理手段は、前記処理対象物に記録された情報を読み取る読み取り部であることを特徴とする請求項１から４のいずれかに記載の媒体処理装置。
【請求項７】
搬送路に沿って処理対象物を搬送し、前記搬送路に設けられた第１処理手段によって処理を行い、
処理結果に基づいて、処理後の動作内容を決定し、
決定した動作内容に従って、前記処理対象物の搬送路の前記第１処理手段の下流に設けられた第２処理手段により、前記処理対象物を処理し、
前記第２処理手段の処理が開始される前に、前記処理対象物が前記第２処理手段に達している場合、動作内容を決定した後に、前記第２処理手段の処理位置または処理位置の前まで前記処理対象物を上流に搬送すること、
を特徴とする媒体処理装置の制御方法。
【請求項８】
搬送路に沿って処理対象物を搬送し、前記搬送路に設けられた第１処理手段によって前記処理対象物に処理を行う媒体処理装置を制御する制御部が実行するプログラムであって、
前記制御部を、
前記処理対象物の搬送路の前記第１処理手段の下流に設けられた第２処理手段によって、前記第１処理手段の処理結果に基づいて決定された処理後の動作内容に従って前記処理対象物を処理させる処理制御手段と、
前記第２処理手段の処理が開始される前に、前記処理対象物が前記第２処理手段に達している場合、前記処理後の動作内容が決定された後に、前記第２処理手段の処理位置または処理位置の前まで前記処理対象物を前記搬送手段によって上流に搬送させる搬送制御手段と、
して機能させるためのプログラム。
【手続補正２】
【補正対象書類名】明細書
【補正対象項目名】０００５
【補正方法】変更
【補正の内容】
【０００５】
上記目的を達成するために、本発明は、搬送路に沿って処理対象物を搬送する搬送手段と、前記搬送路に設けられ、前記搬送手段により搬送される前記処理対象物を処理する第１処理手段と、前記処理対象物が搬送される搬送路の前記第１処理手段の下流に設けられた第２処理手段と、前記第１処理手段の処理結果に基づいて決定された動作内容に従って、前記第２処理手段によって前記処理対象物を処理させる処理制御手段と、前記第２処理手段の処理が開始される前に、前記処理対象物が前記第２処理手段に達している場合、第１処理手段の処理結果に基づいて動作内容が決定された後に、前記第２処理手段の処理位置または処理位置の前まで前記処理対象物を前記搬送手段によって上流に搬送させる搬送制御手段と、を備えることを特徴とする。
本発明によれば、処理対象物に記録された情報の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、搬送路長や各部の配置に関する制約を緩和できるので、装置の小型化が容易になる。
【手続補正３】
【補正対象書類名】明細書
【補正対象項目名】０００６
【補正方法】変更
【補正の内容】
【０００６】
また、本発明は、上記媒体処理装置において、前記第２処理手段は、前記第１処理手段が前記処理対象物の処理を終えた時点で前記処理対象物が前記第２処理手段の処理位置より下流に達する位置に設けられたことを特徴とする。
本発明によれば、装置の一層の小型化を実現できる。
【手続補正４】
【補正対象書類名】明細書
【補正対象項目名】０００９
【補正方法】変更
【補正の内容】
【０００９】
本発明において、前記第１処理手段は、前記処理対象物に画像を記録する記録手段である構成としてもよい。
また、前記第１処理手段は、前記処理対象物に記録された情報を読み取る読み取り部であってもよい。
【手続補正５】
【補正対象書類名】明細書
【補正対象項目名】００１０
【補正方法】変更
【補正の内容】
【００１０】
また、上記目的を達成するために、本発明は、搬送路に沿って処理対象物を搬送し、、前記搬送路に設けられた第１処理手段によって処理を行い、処理結果に基づいて、処理後の動作内容を決定し、決定した動作内容に従って、前記処理対象物の搬送路上で前記第１処理手段の下流に設けられた第２処理手段により、前記処理対象物を処理し、前記第２処理手段の処理が開始される前に、前記処理対象物が前記第２処理手段に達している場合、動作内容を決定した後に、前記第２処理手段の処理位置または処理位置の前まで前記処理対象物を上流に搬送することを特徴とする。
本発明の制御方法を実行することにより、処理対象物の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、搬送路長や各部の配置に関する制約を緩和できるので、装置の小型化が容易になる。
【手続補正６】
【補正対象書類名】明細書
【補正対象項目名】００１１
【補正方法】変更
【補正の内容】
【００１１】
また、上記目的を達成するために、本発明は、搬送路に沿って処理対象物を搬送し、前記搬送路に設けられた第１処理手段によって前記処理対象物に処理を行う媒体処理装置を制御する制御部が実行するプログラムであって、前記制御部を、前記処理対象物の搬送路の前記第１処理手段の下流に設けられた第２処理手段によって、前記第１処理手段の処理結果に基づいて決定された処理後の動作内容に従って前記処理対象物を処理させる処理制御手段と、前記第２処理手段の処理が開始される前に、前記処理対象物が前記第２処理手段に達している場合、前記処理後の動作内容が決定された後に、前記第２処理手段の処理位置または処理位置の前まで前記処理対象物を前記搬送手段によって上流に搬送させる搬送制御手段と、して機能させるためのプログラムである。
本発明のプログラムを実行することにより、処理対象物の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、処理装置における搬送路長や各部の配置に関する制約を緩和できるので、処理装置の小型化が容易になる。
また、本発明は、上記プログラムを、上記制御部またはコンピューターにより読み取り可能に記録した記録媒体として実現してもよい。
【手続補正７】
【補正対象書類名】明細書
【補正対象項目名】００４６
【補正方法】変更
【補正の内容】
【００４６】
また、次のように、中間検出器３２を用いることによって、記録処理の成功か失敗を認識し、動作決定部５０Ｃによる動作決定を行なうことも可能である。
記録ヘッド３３の上流に設けられた中間検出器３２によって、搬送されてくる小切手４の先端４ｄが検出され、その後、小切手４は所定の距離を搬送される。所定の距離を搬送された小切手４への印刷処理が、記録ヘッド３３により開始される。そして、小切手４への記録と搬送が進み、中間検出器３２によって小切手４の後端４ｅが検出された後、小切手４が所定の距離を搬送された時点で、記録制御部５０Ｂは、小切手４への印刷処理を終了する。この終了時点で、記録処理が完了していない（小切手４に記録されなかった）画像データがある場合、動作決定部５０Ｃは、小切手４への記録が失敗したとして、小切手４の排出先をサブポケット９ｂに決定し、記録処理が完了していない画像データがない場合、動作決定部５０Ｃは、記録が成功したとして、小切手４の排出先をメインポケット９ａに決定する。ここで、所定の距離は、中間検出器３２と記録ヘッド３３の搬送路Ｗの距離である。また、小切手４における記録領域が予め決められている場合は、小切手４の先端４ｄが検出されてから搬送される所定の距離は、中間検出器３２と記録ヘッド３３の搬送路Ｗの距離に小切手４の先端４ｄから記録領域の先端までの長さを加えたものであり、小切手４の後端４ｅが検出されてから搬送される所定の距離は、中間検出器３２と記録ヘッド３３の搬送路Ｗの距離から、小切手４の後端４ｅから記録領域の後端までの長さを引いたものとなる。